【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
衝突モードと反応モードとを含む少なくとも２つのモードの間でセルの切り替えを可能にするように構成されるシステムであって、
前記セルを加圧するために前記衝突モードで衝突ガスを受容するように構成され、かつ前記セルを加圧するために前記反応モードで反応性ガスを受容するように構成される、四重極ロッドセットを含むセルと、
前記セルの前記四重極ロッドセットに電気的に結合され、且つ前記セル内の四重極場を提供するために前記四重極ロッドセットに電圧源から波形を供給するために構成される制御器であって、障壁エネルギーより大きいエネルギーを備えるイオンを選択するために、前記衝突モードで前記セルの前記電圧源から実効電圧を提供するように構成され、質量フィルタリングを使用してイオンを選択するために、前記反応モードで前記セルの前記電圧源から前記実効電圧を提供するようにさらに構成される、制御器と、
を備える、システム。
【請求項２】
前記衝突モードと前記反応モードとで前記セルに供給された前記実効電圧はオフセット電圧であるように構成される、請求項１に記載のシステム。
【請求項３】
前記システムは、前記セルによって前記イオンの伝送を可能にする通気モードへの切り替えを可能にするようにさらに構成される、請求項１に記載のシステム。
【請求項４】
前記システムは、前記セルに結合されるガスマニホールドをさらに備え、且つ前記衝突モードで前記衝突ガスと前記反応モードで前記反応ガスを供給するように構成される、請求項１に記載のシステム。
【請求項５】
前記セルは、前記制御器に電気的に結合される出口開口部を含むように構成される、請求項１に記載のシステム。
【請求項６】
前記セルは、前記制御器に電気的に結合される入口開口部を含むように構成される、請求項５に記載のシステム。
【請求項７】
前記制御器は、前記反応性ガスを前記セルの中に導入する前に前記セルを枯渇させることにより、前記衝突モードと前記反応モードとの間で前記セルを切り替えるように構成される、請求項１に記載のシステム。
【請求項８】
前記制御器は、前記衝突ガスを前記セルの中に導入する前に前記セルを枯渇させることにより、前記反応モードと前記衝突モードとの間で前記セルを切り替えるように構成される、請求項１に記載のシステム。
【請求項９】
前記セルに結合される質量分析器をさらに備える、請求項１に記載のシステム。
【請求項１０】
前記質量分析器のオフセット電圧は、前記セルが前記衝突モードで操作される時、前記セルの前記オフセット電圧より正である、請求項９に記載のシステム。
【請求項１１】
前記質量分析器の前記オフセット電圧は、前記セルが前記反応モードで操作される時、前記セルの前記オフセット電圧より負である、請求項１０に記載のシステム。
【請求項１２】
前記加圧セルに結合されるイオン化源をさらに備える、請求項１に記載のシステム。
【請求項１３】
前記イオン化源は、誘導結合プラズマである、請求項１２に記載のシステム。
【請求項１４】
前記セルに結合される追加のセルであって、前記追加のセルを加圧するために前記衝突モードで前記衝突ガスを受容し、前記追加のセルを加圧するために前記反応モードで前記反応性ガスを受容するように構成され、前記四重極ロッドセットを備える、前記追加のセルをさらに備える、請求項１に記載のシステム。
【請求項１５】
前記制御器は、前記反応モードで前記セルおよび前記追加のセルのうちの少なくとも１つを操作し、通気モードで前記もう一方のセルを操作するように構成される、請求項１４に記載のシステム。
【請求項１６】
前記制御器は、前記衝突モードで前記セルおよび前記追加のセルのうちの少なくとも１つを操作し、通気モードで前記もう一方のセルを操作するように構成される、請求項１４に記載のシステム。
【請求項１７】
前記制御器は、前記衝突モードで前記セルおよび前記追加のセルのうちの少なくとも１つを操作し、前記反応モードで前記もう一方のセルを操作するように構成される、請求項１４に記載のシステム。
【請求項１８】
衝突モードと反応モードとの間で四重極セルを切り替える方法であって、
前記セルを加圧するために前記衝突モードで衝突ガスを受容するように構成され、且つ前記セルを加圧するために前記反応モードで反応性ガスを受容するように構成される、前記セルは、前記セル内の四重極場を供給するために有効な四重極ロッドセットを含み、前記四重極セル内に第１のイオン流を導入することと、
障壁エネルギーより大きいエネルギーを構成するイオンの選択を可能にするために実効電圧を構成する前記セルにおいて、前記衝突モードで前記セル内の前記衝突ガスを導入することによって導入された前記第１のイオン流から前記障壁エネルギーより大きい前記エネルギーを構成する前記イオンを選択することと、
前記セルから導入された前記第１のイオン流と導入された前記衝突ガスを
枯渇することと、
前記セル内に第２のイオン流を導入することと、
質量フィルタリングを使用してイオンの選択を可能にするために前記実効電圧を構成する前記セルにおいて、前記反応モードで前記反応性ガスを導入することによって導入された前記第２のイオン流から前記質量フィルタリングを使用して前記イオンを選択することと、
を備える、方法。
【請求項１９】
前記セルから導入された前記第２のイオン流と導入された前記反応性ガスとを枯渇することと、
前記セル内に追加のイオン流を導入することと、
前記障壁エネルギーより大きい前記エネルギーを構成する前記イオンの選択を可能にするために前記実効電圧を構成する前記セルにおいて、前記衝突モードで前記セル内の前記衝突ガスを導入することによって導入された前記追加のイオン流から前記障壁エネルギーより大きい前記エネルギーを構成する前記イオンを選択することと、
をさらに備える、請求項１８に記載の方法。
【請求項２０】
オフセット電圧として前記障壁エネルギーより大きい前記エネルギーを構成する前記イオンの選択を可能にするために実効エネルギーを構成することをさらに備える、請求項１９に記載の方法。
【請求項２１】
前記オフセット電圧を備える質量分析器に結合するために前記オフセット電圧を備える前記セルから前記イオンを供給することをさらに備える、請求項２０に記載の方法。
【請求項２２】
前記セルが前記衝突モードのとき、前記セルの前記オフセット電圧より正になるように、前記質量分析器の前記オフセット電圧を構成することをさらに備える、請求項２１に記載の方法。
【請求項２３】
前記セルが前記反応モードのとき、前記セルの前記オフセット電圧より負になるように、前記質量分析器の前記オフセット電圧を構成することをさらに備える、請求項２１に記載の方法。
【請求項２４】
反応モードと衝突モードとの間で四重極セルを切り替える方法であって、
前記セルを加圧するために前記衝突モードで衝突ガスを受容するように構成され、かつ前記セルを加圧するために前記反応モードで反応性ガスを受容するように構成される、前記セルは、前記セル内の四重極場を供給するために有効な四重極ロッドセットを含み、前記四重極セル内に第１のイオン流を導入することと、
質量フィルタリングを使用して前記イオンの選択を可能にするために実効電圧を構成する前記セルにおいて、前記反応モードで前記反応性ガスを導入することによって導入された前記第１のイオン流から前記質量フィルタリングを使用して前記イオンを選択することと、
前記セルから導入された前記第１のイオン流と導入された前記反応性ガスを枯渇することと、
前記セル内に第２のイオン流を導入することと、
障壁エネルギーより大きいエネルギーを構成する前記イオンの選択を可能にするために前記実効電圧を構成する前記セルにおいて、前記衝突モードで前記セル内の前記衝突ガスを導入することによって導入された前記第２のイオン流から前記障壁エネルギーより大きい前記エネルギーを構成する前記イオンを選択することと、
を備える、方法。
【請求項２５】
前記セルから導入された前記第２のイオン流と導入された前記衝突ガスとを枯渇することと、
前記セル内に追加のイオン流を導入することと、
前記質量フィルタリングを使用して前記イオンの選択を可能にするために前記実効電圧を構成する前記セルにおいて、前記反応モードで前記反応性ガスを導入することによって導入された前記追加のイオン流から前記質量フィルタリングを使用して前記イオンを選択することと、
をさらに備える、請求項２４に記載の方法。
【請求項２６】
オフセット電圧を備える質量分析器に結合するために前記セルから前記イオンを供給することをさらに備える、請求項２４に記載の方法。
【請求項２７】
前記セルが前記衝突モードのとき、前記セルの前記オフセット電圧より正になるように、前記質量分析器の前記オフセット電圧を構成することをさらに備える、請求項２６に記載の方法。
【請求項２８】
前記セルが前記反応モードのとき、前記セルの前記オフセット電圧より負になるように、前記質量分析器の前記オフセット電圧を構成することをさらに備える、請求項２６に記載の方法。